(57)【特許請求の範囲】
【請求項１】
接続管の管端とこの接続管に接続される被接続部材との両方にそれぞれフランジを設け、これらフランジ同士を重ね合わせ、この重ね合わせ部に、両端で開口し、中間に折り返し部を有する抜け止め用のクリップを装着して当該クリップの本体部分に設けた長孔へ前記重ね合わせたフランジの一部を挿入して接続管の抜け止めを行うようにし、このクリップの略全体を被覆しながら前記両フランジからのクリップの脱落を防止する脱落防止カバーを設け、このカバーが、前記折り返し部を被覆する部分と、この部分を挟んで開閉可能に構成された二つの半割り体とで形成され、更に、前記開口した両端の外面に当接した状態で被覆してクリップの前記両端が外側へ開くのを防止する部分と、クリップの前記本体部分を被覆するための平面視半円状の鍔付筒部とが、それぞれ前記半割り体の各対称位置に設けられ、しかも、一方の半割り体には係止部、他方の半割り体には被係止部が設けられていることを特徴とする管接続用クリップの脱落防止構造。
【請求項２】
前記二つの半割り体がそれぞれ前記折り返し部を被覆する部分に対して薄肉のヒンジで連結されている請求項１に記載の管接続用クリップの脱落防止構造。
【請求項３】
接続管の管端とこの接続管に接続される被接続部材との両方にそれぞれフランジを設け、これらフランジ同士を重ね合わせ、この重ね合わせ部に、両端で開口し、中間に折り返し部を有する抜け止め用のクリップを装着して当該クリップの本体部分に設けた長孔へ前記重ね合わせたフランジの一部を挿入して接続管の抜け止めを行うようにし、このクリップの略全体を被覆しながら前記両フランジからのクリップの脱落を防止する脱落防止カバーを設け、このカバーが、前記開口した両端の外面に当接した状態で被覆してクリップの前記両端が外側へ開くのを防止する部分と、この部分を挟んで開閉可能に構成された二つの半割り体とで形成され、更に、前記折り返し部を被覆する部分と、クリップの前記本体部分を被覆するための平面視半円状の鍔付筒部とが、それぞれ前記半割り体の各対称位置に設けられ、しかも、一方の半割り体には係止部、他方の半割り体には被係止部が設けられていることを特徴とする管接続用クリップの脱落防止構造。
【請求項４】
前記二つの半割り体がそれぞれクリップの前記両端が外側へ開くのを防止する部分に対して薄肉のヒンジで連結されている請求項３に記載の管接続用クリップの脱落防止構造。
【発明の詳細な説明】
【０００１】
【発明の属する技術分野】
本発明は、接続管に対して逆止弁等の被接続部材を抜け止め保持するクリップの脱落防止構造に関する。
【０００２】
【従来の技術】
従来のこの種クリップの脱落防止カバーとして、例えば、特開平８−２８７７０号公報に開示されたものがある。すなわち、接続管の管端を逆止弁へ内嵌して両者のフランジ同士を当接させ、クリップの本体部分に設けた長孔へ両フランジの一部を挿入して前記接続管に対して前記逆止弁の抜け止めを行うようにし、更に、クリップの前記両フランジからの脱落を防止するためクリップの開口の両端に跨がって、脱落防止カバーを例えば上方側から外嵌装着するように構成されている。
【０００３】
【発明が解決しようとする課題】
ところで、脱落防止カバーによって被覆されているのはクリップの前記開口した両端だけで、その他の部分は被覆されていなかった。すなわち、クリップは、一枚の帯状金具を折り返して形成したものであり、クリップの折り返し部や、クリップの本体部分は、露出されたままで被覆されてはいないから、使用時においては、露出部分に当接してケガの原因となっていた。また、クリップを脱落防止カバーに装着した状態で袋詰めされて保存または梱包・出荷される場合、前記露出部分によって他の部品が傷付くおそれがあった。
【０００４】
本発明はこのような実情を考慮に入れてなされたものであって、クリップの露出部分によるケガならびに梱包・出荷等における他の部品の損傷を防止できる管接続用クリップの脱落防止構造を提供することを目的とするものである。
【０００５】
【課題を解決するための手段】
すなわち、本発明は、接続管の管端とこの接続管に接続される被接続部材との両方にそれぞれフランジを設け、これらフランジ同士を重ね合わせ、この重ね合わせ部に、両端で開口し、中間に折り返し部を有する抜け止め用のクリップを装着して当該クリップの本体部分に設けた長孔へ前記重ね合わせたフランジの一部を挿入して接続管の抜け止めを行うようにし、このクリップの略全体を被覆しながら前記両フランジからのクリップの脱落を防止する脱落防止カバーを設け、このカバーが、前記折り返し部を被覆する部分と、この部分を挟んで開閉可能に構成された二つの半割り体とで形成され、更に、前記開口した両端の外面に当接した状態で被覆してクリップの前記両端が外側へ開くのを防止する部分と、クリップの前記本体部分を被覆するための平面視半円状の鍔付筒部とが、それぞれ前記半割り体の各対称位置に設けられ、しかも、一方の半割り体には係止部、他方の半割り体には被係止部が設けられている。
【０００６】
また本発明は別の観点から、接続管の管端とこの接続管に接続される被接続部材との両方にそれぞれフランジを設け、これらフランジ同士を重ね合わせ、この重ね合わせ部に、両端で開口し、中間に折り返し部を有する抜け止め用のクリップを装着して当該クリップの本体部分に設けた長孔へ前記重ね合わせたフランジの一部を挿入して接続管の抜け止めを行うようにし、このクリップの略全体を被覆しながら前記両フランジからのクリップの脱落を防止する脱落防止カバーを設け、このカバーが、前記開口した両端の外面に当接した状態で被覆してクリップの前記両端が外側へ開くのを防止する部分と、この部分を挟んで開閉可能に構成された二つの半割り体とで形成され、更に、前記折り返し部を被覆する部分と、クリップの前記本体部分を被覆するための平面視半円状の鍔付筒部とが、それぞれ前記半割り体の各対称位置に設けられ、しかも、一方の半割り体には係止部、他方の半割り体には被係止部が設けられている。
【０００７】
【発明の実施の形態】
図１〜４は本発明の第１の実施形態を示す。これらの図において、１は湯水混合栓、２はこの湯水混合栓１に湯または水を供給するサプライ管、３はこのサプライ管２の上流端に連通連結された中継管、４はこの中継管３に連通連結される逆止弁、５はこの逆止弁４を取付ける止水栓である。
【０００８】
前記サプライ管２は例えば合成樹脂からなる可撓管であり、その外側面を例えばステンレス製の網体によって耐圧保護している。２ａはこのサプライ管２の上流端に嵌合される金属からなるリングであり、中継管３の下流端にサプライ管２を挿入した状態でこのリング２ａをかしめることにより、中継管３とサプライ管２との接続を強固にしている。
【０００９】
前記中継管３は例えば真鍮からなるパイプ材を例えばプレス加工することにより形成されている。すなわち、中継管３の下流側の外周には前記サプライ管２の抜け止め用の波状部分３ａを形成し、上流側の端部にはフランジ３ｂと内径拡大部分３ｃとを形成している。
【００１０】
一方、逆止弁４は例えば真鍮からなる棒材を旋盤加工などにより切削して形成しており、その内部には逆止弁本体（図示せず）を挿入するための弁室４ａを形成し、上流端側には止水栓５に接続する雌ねじ４ｂを形成している。逆止弁４の下流端側の接続部分４ｃは前記内径拡大部分３ｃの内径に挿入できる外径であり、この接続部分４ｃの外周には二つのＯリング４ｄ，４ｄを埋設している。そして、これらのＯリング４ｄ，４ｄより内側の管にはフランジ４ｅを形成している。
【００１１】
８はクリップで、一枚の帯状の金属部材を折り返して形成したもので、図１に示すように、挿通部Ａと、開口Ｂと、一対の長孔Ｃ，Ｃとを有している。そして、全体として弾性を有している。すなわち、クリップ８は、開口Ｂを形成する両端９，９と、長孔Ｃ，Ｃが形成された本体部分１０，１０と、中間の折り返し部１１とからなる。
【００１２】
６は脱落防止カバーで、クリップ８の略全体を被覆しながら前記両フランジ３ｂ，４ｅからのクリップ８の脱落を防止する。この脱落防止カバー６は、クリップ８の前記折り返し部１１を被覆する部分２１と、この部分２１を挟んで開閉可能に構成された二つの半割り体２２ａ，２２ｂとで形成されている。そして、クリップ８の前記両端９の外面に当接した状態で被覆して前記両端９が外側へ開くのを防止する部分１９と、クリップ８の前記本体部分１０を被覆するための平面視半円状の鍔付筒部２０とが、それぞれ前記半割り体２２ａ，２２ｂの各対称位置に設けられている。前記部分１９のそれぞれは、クリップ８被覆時にクリップ８の前記両端９，９の外周面側から当接する当り面Ｍを有する。更に、一方の半割り体２２ａには係止部３０、他方の半割り体２２ｂには被係止部３１が設けられている。また、前記二つの半割り体２２ａ，２２ｂはそれぞれ前記折り返し部１１を被覆する部分２１に対して薄肉のヒンジ４２で連結されている。
【００１３】
而して、クリップ８の前記折り返し部１１を、図２（Ｂ）に示す開いた状態の脱落防止カバー６の前記部分２１内に位置させた後、脱落防止カバー６を閉じて脱落防止カバー６内にクリップ８をセットするとともに、係止部３０、被係止部３１を係止した状態〔図２（Ａ）参照〕で、脱落防止カバー６が袋に詰められて保存または運搬される。すなわち、クリップ８の両端９，９のみならず、折り返し部２１や本体部分１０，１０も脱落防止カバー６で被覆されているので、梱包・出荷時に他の部品を傷付けることはない。
【００１４】
また、現場施工時には、逆止弁４の接続部分４ｃをサプライ管２先端の中継管３の内径拡大部分３ｃに挿入し、かつ、フランジ３ｂ，４ｅ同士を重ね合わせ、この重ね合わせ部にクリップ８を装着して当該クリップ８の本体部分１０，１０に設けた長孔Ｃ，Ｃへ前記重ね合わせたフランジ３ｂ，４ｅの一部を挿入することにより、中継管３に対して逆止弁４が抜け止め保持された状態となる。
【００１５】
しかる後に、クリップ８の前記折り返し部１１を、図２（Ｂ）に示す開いた状態の脱落防止カバー６の前記部分２１内に位置させた後、二つの半割り体２２ａ，２２ｂでクリップ８の前記両端９，９および前記本体部分１０，１０をそれぞれ覆う。すなわち、クリップ８の前記両端９，９を二つの半割り体２２ａ，２２ｂの前記各部分１９で覆うとともに、クリップ８の前記本体部分１０，１０を二つの半割り体２２ａ，２２ｂの前記各鍔付筒部２０で覆う。覆った後は、係止部３０、被係止部３１を係止する。
【００１６】
このように、脱落防止カバー６によって、クリップ８の略全体を被覆しながら前記両フランジ３ｂ，４ｅからのクリップ８の脱落を防止できるとともに、クリップ８をどの向きに向けてもクリップ８でケガをすることはない。
【００１７】
なお、上記実施形態では、中継管３に対して逆止弁３を抜け止め保持する構成のものを示したが、接続管同士（つまり、被接続部材も管である場合）の抜け止め保持をクリップで行う構成のものにも本発明は適用できる。また、逆止弁３にシール部材としてのＯリング４ｄを設けた構成のものを示したが、このシール部材は、中継管３側に設けてもよく、更に、接続管同士の抜け止め保持の場合には、いずれか一方がシール部材を設けて構成されているものであればよい。
【００１８】
図５は、脱落防止カバー６の二つの半割り体２２ａ，２２ｂ同士の係止位置を変更してある本発明の他の実施形態を示す。なお、図１〜４と同一の符号が付された部材は同一または同等の部材であるので、その詳細な説明を省略する。
【００１９】
すなわち、図５（Ａ）から明らかなように、この実施形態では、他方の半割り体２２ｂに設けられる被係止部３１を、当り面Ｍに形成している。
【００２０】
図６は、本発明の更に他の実施形態を示す。なお、図１〜５と同一の符号が付された部材は同一または同等の部材であるので、その詳細な説明を省略する。
【００２１】
図６において、脱落防止カバー６は、クリップ８の前記両端９，９の外面に当接した状態で被覆して前記両端９，９が外側へ開くのを防止する部分２９と、この部分２９を挟んで開閉可能に構成された二つの半割り体３２ａ，３２ｂとで形成されている。そして、クリップ８の前記折り返し部１１を被覆する部分３１と、クリップ８の前記本体部分１０を被覆するための平面視半円状の鍔付筒部２０とが、それぞれ前記半割り体３２ａ，３２ｂの各対称位置に設けられている。前記部分２９は、クリップ８被覆時にクリップ８の前記両端９，９の外周面側から当接する当り面Ｍを有する。更に、一方の半割り体３２ａには係止部３０、他方の半割り体３２ｂには被係止部３１が設けられている。また、前記二つの半割り体３２ａ，３２ｂはそれぞれ前記両端９，９が外側へ開くのを防止する部分２９に対して薄肉のヒンジ４２で連結されている。
【００２２】
【発明の効果】
以上詳述したように、本発明の管接続用クリップの脱落防止構造は、接続管の管端とこの接続管に接続される被接続部材との両方に形成されたフランジからのクリップの脱落を防止しながら、クリップの略全体を被覆する脱落防止カバーを設けたので、以下の効果を奏する。
▲１▼  クリップをどの向きに向けてもクリップでケガをすることはない。
▲２▼  梱包・出荷時等にクリップを脱落防止カバー内に脱落防止カバーを閉じた状態でセットでき、他の部品を傷付けることはない。
▲３▼  クリップの脱落防止カバーへの装着を容易にできる。
【図面の簡単な説明】
【図１】本発明の一実施形態の脱落防止カバーを用いた湯水混合栓の一例を要部拡大して示す斜視図である。
【図２】上記実施形態における脱落防止カバーの閉状態および開状態を示す斜視図である。
【図３】上記実施形態における脱落防止カバーを装着した状態を示す縦断面図である。
【図４】上記実施形態における脱落防止カバーを装着した状態を示す横断面図である。
【図５】本発明の他の実施形態における脱落防止カバーの閉状態および開状態を示す斜視図である。
【図６】本発明の更に他の実施形態における脱落防止カバーの閉状態および開状態を示す斜視図である。
【符号の説明】
３…中継管、３ｂ…中継管のフランジ、４…逆止弁、４ｅ…逆止弁のフランジ、６…脱落防止カバー、８…クリップ、９，９…クリップの両端、１０，１０…クリップの本体部分、１１…クリップの折り返し部、１９…クリップの両端が外側へ開くのを防止する部分、２０…クリップの本体部分を被覆するための平面視半円状の鍔付筒部、２１…クリップの折り返し部を被覆する部分、２２ａ，２２ｂ…半割り体、３０…係止部、３１…被係止部、Ｂ…開口、Ｃ，Ｃ…長孔。
【図１】
0003688092.tif 000002
【図２】
0003688092.tif 000003
【図３】
0003688092.tif 000004
【図４】
0003688092.tif 000005
【図５】
0003688092.tif 000006
【図６】
0003688092.tif 000007